(57)【特許請求の範囲】
【請求項１】
低コストマシン型通信のユーザ機器において使用するための方法であって、前記低コストマシン型通信のユーザ機器はレガシー基地局と通信し、
前記レガシー基地局が事前定義されているサイズよりも小さい送信ブロック・サイズを伴う前記低コストマシン型通信のユーザ機器をスケジュールできるようにスケジューリングに関する少なくとも１つのパラメータを調整するステップと、
前記調整された少なくとも１つのパラメータを前記レガシー基地局にレポートするステップと、
を備え、
前記少なくとも１つのパラメータは、
チャネル品質インジケータ、
バッファ・ステータス・レポート内のバッファ・サイズ値、及び、
電力ヘッドルーム値、
の内の少なくとも１つを含む、
方法。
【請求項２】
前記事前定義されているサイズは、１０００ビットのサイズである請求項１に記載の方法。
【請求項３】
前記少なくとも１つのパラメータは、チャネル品質インジケータを含み、
調整する前記ステップは、
最大値に従って前記チャネル品質インジケータの値を動的に調整するステップであって、前記最大値は、前記レガシー基地局が、前記事前定義されているサイズよりも大きいかまたは事前定義されているサイズよりも小さい前記送信ブロック・サイズを伴う前記低コストマシン型通信のユーザ機器をスケジュールしたかどうかに基づいて適合されるステップを備える、
請求項１に記載の方法。
【請求項４】
前記少なくとも１つのパラメータは、バッファ・ステータス・レポート内のバッファ・サイズ値を含み、
調整する前記ステップは、
前記バッファ・サイズ値が事前定義されている最大値を超えないように、前記バッファ・サイズ値を、現在のバッファ内のデータビットの数及び１０００ビットのうちの小さい方から選択するステップを備える、
請求項２に記載の方法。
【請求項５】
前記少なくとも１つのパラメータは、電力ヘッドルーム値を含み、
調整する前記ステップは、
前記レガシー基地局が、前記事前定義されているサイズよりも小さい前記送信ブロック・サイズをもたらす物理アップリンク共有チャネル・リソースをスケジュールできるように基準信号受信電力測定に従って前記電力ヘッドルーム値を調整するステップを備える請求項１に記載の方法。
【請求項６】
前記レガシー基地局が、前記低コストマシン型通信のユーザ機器との通信をサポートするかどうかの指示が受信されていない場合、機能カテゴリ１を前記レガシー基地局にレポートするステップをさらに備える請求項１乃至５のいずれか１項に記載の方法。
【請求項７】
低コストマシン型通信のユーザ機器において使用するための装置であって、前記低コストマシン型通信のユーザ機器はレガシー基地局と通信し、
前記レガシー基地局が事前定義されているサイズよりも小さい送信ブロック・サイズを伴う前記低コストマシン型通信のユーザ機器をスケジュールできるようにスケジューリングに関する少なくとも１つのパラメータを調整するように構成された調整ユニットと、
前記調整された少なくとも１つのパラメータを前記レガシー基地局にレポートするように構成されたレポート・ユニットと、
を備え、
前記少なくとも１つのパラメータは、
チャネル品質インジケータ、
バッファ・ステータス・レポート内のバッファ・サイズ値、及び、
電力ヘッドルーム値、
の内の少なくとも１つを含む、
装置。
【請求項８】
前記事前定義されているサイズは、１０００ビットのサイズである請求項７に記載の装置。
【請求項９】
前記少なくとも１つのパラメータは、チャネル品質インジケータを含み、
前記調整ユニットは、最大値に従って前記チャネル品質インジケータの値を動的に調整するように構成され、前記最大値は、前記レガシー基地局が、前記事前定義されているサイズよりも大きいかまたは前記事前定義されているサイズよりも小さい前記送信ブロック・サイズを伴う前記低コストマシン型通信のユーザ機器をスケジュールしたかどうかに基づいて適合される請求項７に記載の装置。
【請求項１０】
前記少なくとも１つのパラメータは、バッファ・ステータス・レポート内のバッファ・サイズ値を含み、
前記調整ユニットは、前記バッファ・サイズ値が事前定義されている最大値を超えないように、前記バッファ・サイズ値を、現在のバッファ内のデータビットの数及び１０００ビットのうちの小さい方から選択するように構成される請求項８に記載の装置。
【請求項１１】
前記少なくとも１つのパラメータは、電力ヘッドルーム値を含み、
前記調整ユニットは、前記レガシー基地局が、前記事前定義されているサイズよりも小さい前記送信ブロック・サイズをもたらす物理アップリンク共有チャネル・リソースをスケジュールできるように基準信号受信電力測定に従って前記電力ヘッドルーム値を調整するように構成される請求項７に記載の装置。
【請求項１２】
前記レポート・ユニットは、前記レガシー基地局が、前記低コストマシン型通信のユーザ機器との通信をサポートするかどうかの指示が受信されていない場合、機能カテゴリ１を前記レガシー基地局にレポートするように構成される請求項７乃至１１のいずれか１項に記載の装置。
【請求項１３】
低コストマシン型通信のユーザ機器において使用するための装置であって、前記低コストマシン型通信のユーザ機器は前記レガシー基地局と通信し、
少なくとも１つのプロセッサと、
コンピュータ・プログラム・コードを含む少なくとも１つのメモリとを備え、
前記少なくとも１つのメモリおよび前記コンピュータ・プログラム・コードは、前記少なくとも１つのプロセッサと共に、前記装置に少なくとも、
前記レガシー基地局が事前定義されているサイズよりも小さい送信ブロック・サイズを伴う前記低コストマシン型通信のユーザ機器をスケジュールできるようにスケジューリングに関する少なくとも１つのパラメータを調整させ、
前記調整された少なくとも１つのパラメータを前記レガシー基地局にレポートさせるように構成され、
前記少なくとも１つのパラメータは、
チャネル品質インジケータ、
バッファ・ステータス・レポート内のバッファ・サイズ値、及び、
電力ヘッドルーム値、
の内の少なくとも１つを含む、
装置。
【発明の詳細な説明】
【技術分野】
【０００１】
本明細書における本開示の非限定的および例示的な実施形態は、無線通信分野に関する。特に、本明細書における実施形態は、低コストマシン型通信のための方法および装置に関する。
【背景技術】
【０００２】
マシン型通信（「ＭＴＣ」）装置またはデバイスは、一部の固有のアプリケーション向けのマシンによって使用されるユーザ機器（「ＵＥ」）である。そのようなＭＴＣデバイスの１つの例は、スマート・ユーティリティ・メーターである。そのようなデバイスは遅延耐性があり、高いスループットを必要としないことが期待される。したがって、Ｔｈｉｒｄ  Ｇｅｎｅｒａｔｉｏｎ  Ｐａｒｔｎｅｒｓｈｉｐ  Ｐｒｏｊｅｃｔ（「３ＧＰＰ」）において、Ｌｏｗ  Ｃｏｓｔ  ＭＴＣ  ＵＥおよびカバレッジ拡張に対する新作業項目が承認された。Ｌｏｗ  Ｃｏｓｔ  ＭＴＣ（「ＬＣ−ＭＴＣ」）ＵＥの一部の特徴は、以下のとおりである。
１つの受信機（「Ｒｘ」）アンテナ、
１０００ビットのユニキャスト（データ）に対する最大アップリンクおよびダウンリンク送信ブロック・サイズ（「ＴＢＳ」）、および
６つの物理リソース・ブロック（「ＰＲＢ」）の低減帯域幅
ただし、低減帯域幅の制約は、現在３ＧＰＰにおいて議論されている。
【０００３】
上記で示されているように、ＬＣ−ＭＴＣ  ＵＥは、１０００ビットのトラフィックをサポートすることのみが可能であるため、ｅｖｏｌｖｅｄ  Ｎｏｄｅ  Ｂ（「ｅＮＢ」）とも称され得る基地局（「ＢＳ」）は、ＵＥの制限を承知している必要がある、つまり、ＬＣ−ＭＴＣ  ＵＥとの通信を認識してサポートする。このことは、ＬＣ−ＭＴＣ  ＵＥの配備を、これらをサポートするセルのみに限定することになる。言い換えれば、ＬＣ−ＭＴＣ  ＵＥは、レガシーＢＳによって十分にサポートされないことになる。そのような制限は、ＬＣ−ＭＴＣ  ＵＥのスケールメリットの達成を困難にし、それにより、低コストの利益を得ることが難しくなる場合もある。
【０００４】
したがって、ＴＢＳの制約を伴うそのようなＬＣ−ＭＴＣ  ＵＥが、レガシーＢＳまたはｅＮＢのカバレッジ・エリアにおいて効率的かつ有効に動作できるようにする解決策が、当技術分野において必要とされている。
【発明の概要】
【発明が解決しようとする課題】
【０００５】
上記で概説されている問題に対処し、送信ブロック・サイズ制限を伴う低コストマシン型通信のユーザ機器が、レガシー基地局のカバレッジ・エリアにおいて動作できるようにする解決策を提供することが、本開示の目的である。この目的は、以下のような方法および装置を提供することによって達成され得る。
【課題を解決するための手段】
【０００６】
本開示の態様によれば、低コストマシン型通信のユーザ機器において使用するための方法が提供され、低コストマシン型通信のユーザ機器はレガシー基地局と通信する。方法は、レガシー基地局が事前定義されているサイズよりも小さい送信ブロック・サイズを伴う低コストマシン型通信のユーザ機器をスケジュールできるようにスケジューリングに関する少なくとも１つのパラメータを調整するステップを備える。方法はまた、調整された少なくとも１つのパラメータをレガシー基地局にレポートするステップを備える。
【０００７】
１つの実施形態において、事前定義されているサイズは、１０００ビットのサイズである。
【０００８】
もう１つの実施形態において、少なくとも１つのパラメータは、チャネル品質インジケータであり、調整するステップは、最大値に従ってチャネル品質インジケータの値を動的に調整するステップを備え、最大値は、レガシー基地局が、事前定義されているサイズよりも大きいかまたは事前定義されているサイズよりも小さい送信ブロック・サイズを伴う低コストマシン型通信のユーザ機器をスケジュールしたかどうかに基づいて適合される。
【０００９】
追加の実施形態において、少なくとも１つのパラメータは、バッファ・ステータス・レポート内のバッファ・サイズ値であり、調整するステップは、バッファ・サイズ値が事前定義されている最大値を超えることがないようにバッファ・サイズ値を調整するステップを備える。
【００１０】
さらなる実施形態において、少なくとも１つのパラメータは、電力ヘッドルーム値であり、電力ヘッドルーム値を調整するステップは、レガシー基地局が、事前定義されているサイズよりも小さい送信ブロック・サイズをもたらす物理アップリンク共有チャネル・リソースをスケジュールできるように基準信号受信電力測定に従う。
【００１１】
上記の実施形態において、方法は、レガシー基地局が、低コストマシン型通信のユーザ機器との通信をサポートするかどうかの指示が受信されていない場合、機能カテゴリ１をレガシー基地局にレポートするステップをさらに備える。
【００１２】
本開示のもう１つの態様によれば、低コストマシン型通信のユーザ機器において使用するための装置が提供され、低コストマシン型通信のユーザ機器はレガシー基地局と通信する。装置は、レガシー基地局が事前定義されているサイズよりも小さい送信ブロック・サイズを伴う低コストマシン型通信のユーザ機器をスケジュールできるようにスケジューリングに関する少なくとも１つのパラメータを調整するように構成された調整ユニットを備える。装置はまた、調整された少なくとも１つのパラメータをレガシー基地局にレポートするように構成されたレポート・ユニットを備える。
【００１３】
本開示の態様によれば、低コストマシン型通信のユーザ機器において使用するための装置が提供され、低コストマシン型通信のユーザ機器はレガシー基地局と通信する。装置は、少なくとも１つのプロセッサと、コンピュータ・プログラム・コードを含む少なくとも１つのメモリとを備え、少なくとも１つのメモリおよびコンピュータ・プログラム・コードは、少なくとも１つのプロセッサと共に、装置に少なくとも、レガシー基地局が事前定義されているサイズよりも小さい送信ブロック・サイズを伴う低コストマシン型通信のユーザ機器をスケジュールできるようにスケジューリングに関する少なくとも１つのパラメータを調整させるように構成される。少なくとも１つのメモリおよびコンピュータ・プログラム・コードはまた、少なくとも１つのプロセッサと共に、装置に少なくとも、調整された少なくとも１つのパラメータをレガシー基地局にレポートさせるように構成される。
【００１４】
上記で言及されているさまざまな態様および実施形態において説明される解決策を用いて、送信ブロック・サイズ制限を伴う低コストマシン型通信のユーザ機器は、レガシー基地局のカバレッジ・エリアにおいて動作することができる。したがって、低コストマシン型通信のユーザ機器を、レガシー基地局によって提供されているような、さまざまなセルに配備することが可能である。これにより、低コストマシン型通信のユーザ機器のスケールメリットを達成することが容易となり、それに関わる通信コストを低減できるようになる。
【００１５】
これ以降、実施形態は、添付の図面に関してさらに詳細に説明される。
【図面の簡単な説明】
【００１６】
【図１】本開示の実施形態によるＬＣ−ＭＴＣ  ＵＥにおいて使用するための方法を示す概略流れ図である。
【図２】本開示の１つの実施形態によるＬＣ−ＭＴＣ  ＵＥにおいて使用するための方法を示す概略流れ図である。
【図３】本開示の１つの実施形態によるＬＣ−ＭＴＣ  ＵＥにおいて使用するための装置を示す概略ブロック図である。
【図４】本開示のもう１つの実施形態によるＬＣ−ＭＴＣ  ＵＥにおいて使用するための装置を示す概略ブロックである。
【発明を実施するための形態】
【００１７】
これ以降、本開示は、本開示の特定の実施形態が示される添付の図面を参照して以下にさらに詳細に説明される。しかし、この開示は、多数の異なる形態で具現されてもよく、本明細書において示される実施形態に限定されるものと解釈されるべきではなく、これらの実施形態は、この開示が綿密かつ完璧なものとなり、本開示の範囲を当業者に十分に伝達できるように、一例として提供されている。本明細書全体を通じて、類似する番号は類似する要素を示す。
【００１８】
一般に、特許請求の範囲において使用されるすべての用語は、本明細書において明示的に定義されていない限り、当技術分野におけるそれらの通常の意味に従って解釈されるものとする。「１つの（ａ／ａｎ）／要素、装置、コンポーネント、手段、ステップなど」のすべての参照は、特に明記のない限り、要素、装置、コンポーネント、手段、ステップなどの少なくとも１つの例を参照するものとして広義に解釈されるものとする。本明細書において開示される任意の方法のステップは、特に明記のない限り、開示されている正確な順序で実行される必要はない。本開示の任意の態様に関する上記および後段の説明はまた、適用可能な部分において、本開示の任意の他の態様に関連する。
【００１９】
本開示の基本概念は、レガシー基地局またはｅＮＢが１０００ビットを超えるＴＢＳをスケジュールしないように、基地局またはｅＮＢに対してスケジューリングに関するＬＣ−ＭＴＣ  ＵＥのレポートされたパラメータを調整（または増分減分）することである。この調整は、動的であり、さまざまな基地局またはｅＮＢスケジューラに適応できる。
【００２０】
図１は、本開示の実施形態によるＬＣ−ＭＴＣ  ＵＥにおいて使用するための方法１００を示す概略流れ図である。図１に示されているように、Ｓ１０１において、方法１００は、レガシー基地局が事前定義されているサイズよりも小さいＴＢＳを伴うＬＣ−ＭＴＣ  ＵＥをスケジュールできるようにスケジューリングに関する少なくとも１つのパラメータを調整する。１つの実施形態において、事前定義されているサイズは、１０００ビットのサイズである、つまり、上記で言及されているＬＣ−ＭＴＣ  ＵＥ  ＴＢＳ制約である。次いで、Ｓ１０２において、方法１００は、調整された少なくとも１つのパラメータをレガシー基地局にレポートする。
【００２１】
例示の実施形態において、少なくとも１つのパラメータは、ＣＱＩである。さらなる例示の実施形態において、Ｓ１０１において調整するステップは、最大値に従ってＣＱＩの値を動的に調整するステップを備え、最大値は、レガシー基地局が、事前定義されているサイズよりも大きいかまたは事前定義されているサイズよりも小さいＴＢＳを伴うＬＣ−ＭＴＣ  ＵＥをスケジュールしたかどうかに基づいて適合され、図２を参照して詳細に説明される。
【００２２】
特に、ダウンリンクについて、Ｓ１０１において動的に調整するステップは、ＬＣ−ＭＴＣ  ＵＥのレポートされたＣＱＩに実行されてもよい。ＣＱＩは、ＬＣ−ＭＴＣ  ＵＥの無線条件の指示であるので、多くのｅＮＢスケジューラは、ＣＱＩを使用して、変調および符号化方式（「ＭＣＳ」）を決定することができ、これによりＬＣ−ＭＴＣ  ＵＥに適正なＴＢＳを選択することができる。本開示の実施形態によれば、ＣＱＩＭＡＸと示される最大ＣＱＩは、レポートされたＣＱＩがこのＣＱＩＭＡＸを超えることができないように課されてもよい。本明細書においてＣＱＩＭＡＸは、定数でなくてもよいが、動的に適合されてもよい。たとえば、ＬＣ−ＭＴＣ  ＵＥは、低いＣＱＩＭＡＸで進め、ＣＱＩＭＡＸを、その実際の測定されたＣＱＩ値またはＴＢＳが１０００ビットよりも大きくなるよう導く値まで、徐々に増大させることができる。ＴＢＳが１０００ビットよりも大きくなるときはいつも、ＬＣ−ＭＴＣ  ＵＥは、特定の値（たとえば、１つの事前定義されたステップサイズ）ずつＣＱＩＭＡＸを減少させることができる。付加的または代替的に、ＬＣ−ＭＴＣ  ＵＥは、ＣＱＩＭＡＸ＝実際の測定されたＣＱＩ値を設定することから始め、次いで、レガシー基地局が１０００ビットよりも小さいＴＢＳを割り振るまで、そのＣＱＩＭＡＸを低減することができる。
【００２３】
例示の実施形態において、少なくとも１つのパラメータは、バッファ・ステータス・レポート内のバッファ・サイズ値である。さらなる例示の実施形態において、Ｓ１０１において調整するステップは、バッファ・サイズ値が事前定義されている最大値を超えないように、バッファ・サイズ値を調整するステップを備える。
【００２４】
特に、アップリンクについて、Ｓ１０１において動的に調整するステップは、バッファ・ステータス・レポート（ＢＳＲ）内のバッファ・サイズ値に実行される。たとえば、ＬＣ−ＭＴＣ  ＵＥは、レガシー基地局が、１０００ビットよりも大きいＴＢＳをもたらす物理アップリンク共有チャネル（「ＰＵＳＣＨ」）リソースを割り振らないように、バッファ・サイズ値に最大限度を課すことができる。たとえば、レポートされるバッファ・サイズ値は、現在のバッファ内のデータビットの数および１０００ビットのうちの小さいほうから、ＬＣ−ＭＴＣ  ＵＥによって毎回選択されてもよい。
【００２５】
もう１つの例示の実施形態において、少なくとも１つのパラメータは、電力ヘッドルーム値である。さらなる例示の実施形態において、Ｓ１０１において調整するステップは、レガシー基地局が、事前定義されているサイズよりも小さいＴＢＳをもたらす物理アップリンク共有チャネル・リソースをスケジュールできるように基準信号受信電力測定に従って電力ヘッドルーム値を調整するステップを備える。たとえば、スケジュールされたＴＢＳが１０００ビットよりも大きい場合、ＬＣ−ＭＴＣ  ＵＥは、負の電力ヘッドルーム値をレガシー基地局にレポートすることができる。
【００２６】
例示の実施形態において、方法１００は、レガシー基地局が、ＬＣ−ＭＴＣ  ＵＥとの通信をサポートするかどうかの指示が受信されていない場合、機能カテゴリ１をレガシー基地局にさらにレポートする。言い換えれば、ＬＣ−ＭＴＣ  ＵＥは、セルがＬＣ  ＭＴＣをサポートするという指示を受信しない場合、カテゴリ１の各自のそれぞれの機能カテゴリをレガシー基地局にレポートすることができる。これにより、レガシー基地局は、この型のＵＥを認識することができ、空間多重化を使用しなくてもよく、前述の動的調整を適用することができる。
【００２７】
方法１００および上記の実施形態において示されるそのいくつかの変形または改良に基づいて、ＬＣ−ＭＴＣ  ＵＥに関連付けられているＴＢＳの制約は、取り除かれてもよく、ＬＣ−ＭＴＣ  ＵＥがレガシー基地局のカバレッジ・エリアにおいて動作できるようにすることができる。
【００２８】
図２は、本開示の実施形態によるＬＣ−ＭＴＣ  ＵＥにおいて使用するための方法２００を示す概略流れ図である。特に、図２は、可能なＣＱＩ調整の手法を示し、ここで最大ＣＱＩは基地局スケジューリングに基づいて適合される。簡略にするため、最大ＣＱＩはＣＱＩＭＡＸと示され、測定されたＣＱＩはＣＱＩＭＥＡＳと示され、レポートされたＣＱＩはＣＱＩＲＥＰと示される。
【００２９】
図２に示されるように、方法２００は、Ｓ２０１において開始し、ここで方法２００は、チャネル測定に基づいてＣＱＩを計算して、ＣＱＩＭＥＡＳを取得する。次いで、Ｓ２０２において、方法２００は、以下の式に基づいてＣＱＩＲＥＰを決定する。
ＣＱＩＲＥＰ＝ｍｉｎ（ＣＱＩＭＡＸ、ＣＱＩＭＥＡＳ）、
ここで、ｍｉｎ（）は、ＣＱＩＲＥＰが、ＣＱＩＭＡＸとＣＱＩＭＥＡＳのうちの小さいほうをとることを意味する。
【００３０】
図２には示されていないが、ＬＣ−ＭＴＣ  ＵＥは、ＣＱＩＲＥＰをレガシー基地局にレポートし、次いで物理ダウンリンク制御チャネル（「ＰＤＣＣＨ」）送信をデコードして、レガシー基地局から割り振られたＴＢＳを決定することができる。次いで、Ｓ２０３において、方法２００は、割り振られたＴＢＳが１０００ビットよりも小さいかまたは等しいかどうかを決定する。小さいかまたは等しい場合、フローはＳ２０４に進み、そこでＣＱＩＭＡＸがＣＱＩＲＥＰと等しいかどうかについてさらに決定される。回答が「Ｙｅｓ」である場合、次いでＳ２０５において、方法２００は、ＣＱＩＭＡＸを、たとえば１ＣＱＩインデックスのような１ステップサイズずつ、増分する。それ以外の場合、Ｓ２０４において回答が「Ｎｏ」であれば、フローは、レポートおよび調整の次のラウンドのためにＳ２０１にループバックすることができる。
【００３１】
Ｓ２０３において、割り振られたＴＢＳが１０００ビットよりも大きいことが決定される場合、フローはＳ２０６に進み、そこでＣＱＩＲＥＰがＣＱＩＭＥＡＳと等しいかどうかについてさらに決定される。等しい場合、Ｓ２０８において、方法２００は、ＣＱＩＭＡＸにＣＱＩＭＥＡＳの値をとらせて、Ｓ２０１に戻る。等しくない場合、Ｓ２０７において、方法２００は、ＣＱＩＭＡＸを、たとえば１ステップサイズずつ、減分し、次いでＳ２０１に戻る。
【００３２】
図２を参照して行われた上記の説明から、本開示によるレポートされたＣＱＩが動的に調整され得ることが理解されよう。これにより、レポートされたＣＱＩは、より正確なものとなり得るので、レガシー基地局は、ＬＴ−ＭＴＣ  ＵＥにさらに適正なスケジューリングを行うことができる。
【００３３】
図３は、本開示の実施形態によるＬＣ−ＭＴＣ  ＵＥにおいて使用するための装置３００を示す概略ブロック図である。図３に示されるように、装置３００は、レガシー基地局が事前定義されているサイズよりも小さいＴＢＳを伴うＬＣ−ＭＴＣ  ＵＥをスケジュールできるようにスケジューリングに関する少なくとも１つのパラメータを調整するように構成された調整ユニット３０１を備える。装置３００はまた、調整された少なくとも１つのパラメータをレガシー基地局にレポートするように構成されたレポート・ユニット３０２を備える。
【００３４】
例示の実施形態において、事前定義されているサイズは、１０００ビットのサイズである。
【００３５】
もう１つの例示の実施形態において、少なくとも１つのパラメータは、チャネル品質インジケータである。さらなる例示の実施形態において、調整ユニット３０１は、最大値に従ってチャネル品質インジケータの値を動的に調整するように構成され、最大値は、レガシー基地局が、事前定義されているサイズよりも大きいかまたは事前定義されているサイズよりも小さいＴＢＳを伴うＬＣ−ＭＴＣ  ＵＥをスケジュールしたかどうかに基づいて適合される。
【００３６】
例示の実施形態において、少なくとも１つのパラメータは、バッファ・ステータス・レポート内のバッファ・サイズ値である。さらなる例示の実施形態において、調整ユニット３０１は、バッファ・サイズ値が事前定義されている最大値を超えないように、バッファ・サイズ値を調整するように構成される。
【００３７】
例示の実施形態において、少なくとも１つのパラメータは、電力ヘッドルーム値である。さらなる例示の実施形態において、調整ユニット３０１は、レガシー基地局が、事前定義されているサイズよりも小さいＴＢＳをもたらす物理アップリンク共有チャネル・リソースをスケジュールできるように基準信号受信電力測定に従って電力ヘッドルーム値を調整するように構成される。
【００３８】
一部の例示の実施形態において、レポート・ユニット３０２は、レガシー基地局が、ＬＣ−ＭＴＣ  ＵＥとの通信をサポートするかどうかの指示が受信されていない場合、機能カテゴリ１をレガシー基地局にレポートするように構成される。
【００３９】
上記の説明から、装置３００が、前述の関連する例示の実施形態において説明されているように、方法１００および方法２００ならびにそれらの変形および拡張を実行することができることが理解されよう。さらに、装置３００は、ＬＣ−ＭＴＣ  ＵＥまたはその一部として具現されてもよい。
【００４０】
図４は、本開示のもう１つの実施形態によるＬＣ−ＭＴＣ  ＵＥにおいて使用するための装置４００を示す概略ブロック図である。図４に示されるように、装置４００は、データ・プロセッサのような少なくとも１つのプロセッサ４０１、プロセッサ４０１に結合された少なくとも１つのメモリ（ＭＥＭ）４０２を含む。示されてはいないが、さまざまな実施態様に応じて、装置４００は、たとえば本開示におけるレガシー基地局またはｅＮＢなど、無線ネットワークのその他のノードとの無線接続を確立できるようにプロセッサ４０１に結合された適切なＲＦ送信機ＴＸおよび受信機ＲＸをさらに含むことができる。ＭＥＭ４０２は、プログラム（ＰＲＯＧ）４０３を格納する。プロセッサ４０１とメモリ４０２の組合せは、本開示の実施形態を実行するように適合された処理手段を形成する。装置４００は、たとえばインターネットのような、１つまたは複数の外部ネットワークまたはシステムへデータ・パスを介して結合されてもよい。
【００４１】
ＰＲＯＧ４０３は、プロセッサ４０１によって実行されるとき、装置４００が、本開示の例示的な実施形態において説明される方法１００、方法２００、ならびにそれらのそれぞれの変形および拡張により本明細書において説明されるように、本開示の例示的な実施形態に従って動作できるようにする命令を含むことが想定される。装置３００と同様に、装置４００がまた、前述の関連する例示の実施形態において説明されているように、方法１００および方法２００ならびにそれらの変形および拡張を実行することができることが理解されよう。さらに、装置４００は、ＬＣ−ＭＴＣ  ＵＥまたはその一部として具現されてもよい。
【００４２】
一般に、本開示の実施形態は、装置４００の少なくとも１つのプロセッサ４０１によって、またはハードウェアによって、またはソフトウェアおよびハードウェアの組合せによって実行可能なコンピュータ・ソフトウェアにより実施されてもよい。
【００４３】
ＭＥＭ４０２は、ローカルの技術環境に適切な任意のタイプであってもよく、非限定的な例として、半導体ベースのメモリ・デバイス、磁気メモリ・デバイスおよびシステム、光学メモリ・デバイスおよびシステム、固定式メモリおよび取り外し可能メモリのような、任意の適切なデータ・ストレージ技術を使用して実施されてもよい。装置４００において１つのＭＥＭのみが示されているが、装置４００内に複数の物理的に別個のメモリ・ユニットがあってもよい。プロセッサ４０１は、ローカルの技術環境に適切な任意のタイプであってもよく、非限定的な例として、汎用コンピュータ、特殊用途コンピュータ、マイクロプロセッサ、デジタル信号プロセッサ（ＤＳＰ）、およびマルチコア・プロセッサ・アーキテクチャに基づくプロセッサの１つまたは複数を含むことができる。装置４００は、たとえば、主演算処理装置を同期するクロックに時間的に従属な特殊用途向け集積回路チップのような、複数のプロセッサを有することができる。
【００４４】
さらに、さまざまな実施方法によれば、本開示はまた、たとえばプロセッサ４０１のような、少なくとも１つのプロセッサ上で実行されるとき、少なくとも１つのプロセッサに、本開示の例示の実施形態による方法を実行させる命令を備えるコンピュータ・プログラムを提供する。
【００４５】
加えて、本開示は、前述のようにコンピュータ・プログラムを含むキャリアを提供し、キャリアは、電子信号、光信号、無線信号、またはコンピュータ可読ストレージ媒体のうちの１つである。
【００４６】
本明細書において説明される技法は、実施形態により説明される対応するモバイル・エンティティの１つまたは複数の機能を実施するデバイスが、従来技術の手段のみならず、実施形態により説明される対応する装置の１つまたは複数の機能を実施するための手段も備え、デバイスが別個の機能ごとに別個の手段を備えることができるか、または手段が２つ以上の機能を実行するように構成され得るように、さまざまな手段によって実施されてもよい。たとえば、これらの技法は、ハードウェア（１つまたは複数の装置）、ファームウェア（１つまたは複数の装置）、ソフトウェア（１つまたは複数のモジュール）、またはその組合せにおいて実施されてもよい。ファームウェアまたはソフトウェアについては、実施態様は、本明細書において説明される機能を実行するモジュール（たとえば、プロシージャ、関数など）を介するものであってもよい。
【００４７】
本明細書において示される本開示の多くの変更およびその他の実施形態は、前述の説明および関連する図面に提示される教示の利点を有する、本開示のこれらの実施形態が関連する当技術分野の当業者に考案されるであろう。したがって、本開示の実施形態が、開示される特定の実施形態に限定されるべきではないこと、ならびに変更およびその他の実施形態が添付の特許請求の範囲内に含まれるよう意図されていることを理解されたい。本明細書において特定の用語が採用されているが、これらは一般的および説明的な意味で使用
されているに過ぎず、限定を目的とするものではない。
【図１】
0006386073.tif 000002
【図２】
0006386073.tif 000003
【図３】
0006386073.tif 000004
【図４】
0006386073.tif 000005